(57)【要約】      （修正有）【課題】風・水力発電あるいは太陽光発電システムなど自然のエネルギー回収手段によって得られた電力発電装置の電力供給方法あるいはシステムにおいて、小口分散供給システムを提供する。【解決手段】発電電力の供給装置として複数の小型蓄電池を設け、発電された発電電力を直接ＡＣ電源に変換し、小口分散利用を可能ならしめた。充電方法に関して、充電量に応じて優先順位を設けた。また、充電される多数の小型蓄電池に照明用のＬＥＤ及び、携帯電話及びパソコンの充電用端末を設置して一体化を図ったことで利用形態の多様化に対応可能なシステムにし、利用者のニーズに対応させた。【選択図】図１
2012115116.tif 000002
【特許請求の範囲】
【請求項１】
風力、水力、太陽熱エネルギーなどの自然エネルギーを電気エネルギーに変換する機器において、それらエネルギーによって発電された発電電力を充電可能な小型畜電池を複数設置することを可能にし、充電された該小型畜電池を、蓄電池を内蔵する配電盤から着脱可能ならしめ、発電された発電電力を蓄電する該小型畜電池を構成する充電ネッワークに於いて、充電効率を高めるための充電する優先順位を、該小型蓄電池を接続する該配電盤が判断可能せしめる機能を備え、該小型畜電池に使用電力量の表示機能を備えた、発電電力の出力を小口分散可能ならしめたことを特徴とする自然のエネルギーによる発電電力の小口分散供給システム。
【請求項２】
前記小型畜電池は、インバーターを付属し、負荷である各種電力使用機器のＡＣ電源の各電圧に対応可能ならしめ、照明用のＬＥＤ及び、複数設けられ携帯電話及びパソコンの充電用端末を設置してあることを特徴とする請求項１記載の自然のエネルギーによる発電電力の小口分散供給システム。
【発明の詳細な説明】
【技術分野】
【０００１】  この発明は、風力及び太陽エネルギーなどの自然のエネルギーを利用した発電電力の利用に対して、その発電電力を小口分散供給するシステムに関する。さらに詳しくは、この出願の発明は、従来それら発電電力が有線で接続された特定の需要家に限られていた給電に対して、不特定多数の需要家への給電に有用であって、自然のエネルギーを利用した新しい発電電力の小口分散供給システムに関するものである。
【背景技術】
【０００２】  ２１世紀の地球温暖化防止対策技術として自然のエネルギー利用による発電電力を利用することが近年注目されている。これらのクリーン・エネルギーの代表例として風力、水力あるいは太陽熱エネルギーを挙げることができる。【０００３】  また、現在、発展途上国では熱源として木材を伐採し、燃焼エネルギーに利用することが多く行われ、熱帯雨林の消滅が問題化している。今後はそれらを代替するエネルギー源として、あるいは水資源、農業用灌漑水の給水などに対する動力源としての電力に関して、自然のエネルギーを利用する発電電力供給システムの構築が強く望まれている。【０００４】  一方、グローバル化が進み、携帯電話やインターネットを利用した情報手段の発達により、多くの個人がそれらを用いて情報交換をすることが非常に容易になってきた。それに伴い、小電力を日常的に消費することが多く行われ、その需要も高まり、どのような場所でも小電力を給電可能な体制の確立も望まれている。【０００５】  従来、風力発電あるいは太陽光発電システムなど自然のエネルギー回収手段によって得られた発電電力を需要家に供給する方法あるいはシステムにおいて、その発電電力が給電される負荷あるいは需要家に対しては、それらの発電装置と直接に有線で接続され、その発電電力が給電されていた。
【発明の概要】
【発明が解決しようとする課題】
【０００６】  しかしながら、従来の技術によれば、有線で接続されている故に、その発電電力を消費する需要家が特定されるもので、受益者の拡大や利用条件の自由さには多くの制約がなされ、不特定多数の需要家に対して対応することが困難であった。そこで、この発明は、誰でもが容易に利用でき、受益可能な自然のエネルギー回収手段によって得られた発電電力の小口分散供給システムを提供することを課題とする。
【課題を解決するための手段】
【０００７】  以上の課題を解決するために、第一発明は、発電電力変換装置として複数の小型蓄電池を設け、自然のエネルギーによって発電された発電電力に対して充電効率を高めるために、小型蓄電池への充電優先順位を判断できるネッワークを備えた配電盤から小口分散利用を可能ならしめたことを特徴としている。【０００８】  配電盤には蓄電池を付属させ、その日の天候の状況によって、小型蓄電池で充電できないほどの過剰な発電量が得られた場合には、その過剰電力をフィードバックして充電することを可能にしている。【０００９】  また、不特定多数の需要家が利用する持ち運び可能な小型蓄電池には、発電された電力である直流から交流に変換するインバーターを付属・接続させてあり、その国や地域で使用する負荷の各種電気機器のＡＣ電源用電圧に対応可能ならしめ、それらの電気機器の使用電源として直接使用することができる。【００１０】  さらに、小型蓄電池には使用電力量を表示・記録可能な機器を付属させているので、それら小型蓄電池の充電状態が瞬時に判明し、需要家が消費した電力量も判別可能である。【００１１】  そして、第二発明は、充電される多数の小型蓄電池に照明用のＬＥＤを直接付属させることを可能としたので、この小型蓄電池を必要な場所に設置するだけで、夜間の照明用電源と同時に、直接照明器具として用いることができる。【００１２】  また、小型蓄電池には携帯電話及びパソコン等の充電用端末器等を複数付属させ、一体化を図ったので、それらの電力を充電する必要のある需要家はその場で充電可能であり、自然のエネルギーを利用して発電された電力を小型蓄電池から直接利用可能である。
【発明の効果】
【００１３】  第一発明、または第二発明によれば、発電装置に電力変換装置として複数の小型電池を設置して、それらの充電順位に差別化を行えるようにし、且つそれら発電電力を消費する需要家の有する負荷を直接発電装置から有線で接続していないので、需要家である利用者はその装置から電池を取り出し、必要に応じてその利用箇所に持ち込むことが可能であり、常時不特定多数の者が利用可能となる。【００１４】  また、小型蓄電池にインバーターを付属・接続させているので、その小型蓄電池に接続される負荷である各種電気器具の使用電源電圧に対応可能である。一方、発電された電力を夜間の照明用に用いる場合には、ＬＥＤなどの照明用器具を直接付属・接続させているので、それを使用箇所に設置するだけで、照明器具として使用できる。【００１５】  さらに、発電され、畜電された電力使用量が分かるような機器が付属されていることにより、このシステムを使って該発電機器の設置者あるいは管理者と需要家である消費者との売電の清算が簡単に行える。
【図面の簡単な説明】
【００１６】
【図１】この発明の一実施形態を示す電力系統図である。
【発明を実施するための形態】
【００１７】  この発明の一実施形態を、図１に示す。
１は自然のエネルギー回収手段によって得られた電力発電装置のうち風車の回転軸であり、２はそれらによって回転させられ発電がなされる発電機である。これによって発電された電力は、一方の太陽光発電システム３によって発電された発電電力と合流させ、それらの発電電力は配電盤４に接続される。その配電盤は充電効率を上げるための充電順位の差別化を行えることが可能なネットワークと蓄電池を備え、小型蓄電池５が着脱容易な状態で蓄電のために多数接続されている。この小型蓄電池は電力を必要とする需要家がそれぞれの箇所に持ち運ぶことができる。
【実施形態の効果】
【００１８】この実施形態によれば、自然のエネルギー回収手段によって得られた発電電力は着脱容易な多数の小型蓄電池が設置されている配電盤に直接蓄電され、その発電電力は利用者の必要度、希望する利用場所に小型蓄電池を持ちは運ぶことによって利用可能である。したがって、電力発電装置から利用場所まで電線が必要なくなる。また、小型蓄電池にはインバーターが付属・接続されているので、発電電力を消費する需要家の負荷である各種使用電気機器の電源電圧に対応可能であり、電源の用途としては広範囲に及ぶ。
【他の実施形態】
【００１９】図１の実施形態では、自然のエネルギーを利用する発電システムにおいて太陽光発電システム以外は風車の回転軸１であったが、他の実施形態では、水車の回転軸を利用した発電機による発電電力でも良い。
【符号の説明】
【００２０】１  風車の回転軸
２  発電機
３  太陽光発電システム
４  配電盤
５  小型蓄電池
【図１】
2012115116.tif 000003